(57)【要約】【課題】ＡＶスイッチャー装置における映像信号の切り換え操作を、モニター画面を見ながら行えるようにして、暗い室内において誤操作を防止できるようにする。【解決手段】本発明に係るＡＶスイッチャー装置１は、映像切り換えを指示するためのマウス６を接続できるように構成されており、モニター３の画面には、表示制御部８によって切り換え可能な映像信号のメニューボタンＢ１，Ｂ２，Ｂ３，Ｂ４が表示されるようになっている。ポインター９を動かして所望のメニューボタンＢ１，Ｂ２，Ｂ３又はＢ４を選択しクリックすると、映像信号が切り換えられる。操作者はモニター画面を見た状態で映像信号の切り換え操作が出来るので、暗い室内においても誤操作を防止できる。【選択図】図１
2009303091.tif 000002
【特許請求の範囲】
【請求項１】
入力された複数系統の映像信号の内の１系統の映像信号が出力されると共に、該出力される映像信号を適宜切り換えることができるように構成されたＡＶスイッチャー装置において、
複数系統の映像信号を入力できるように構成された映像信号入力部と、
モニターが接続可能であると共に、１系統の映像信号が出力されるように構成された映像信号出力部と、
該映像信号入力部と該映像信号出力部との間に介装されると共に、入力された複数系統の映像信号の内の１系統の映像信号を選択して前記映像信号出力部に送信する映像信号選択部と、
映像信号の切り換え指示を行うための操作機器が接続されると共に、該切り換え指示の信号を前記映像信号選択部に送信して映像信号の切り換えを行う操作機器接続部と、
切り換え可能な映像信号のメニュー、及び前記切り換え指示により切り換えようとする映像信号を前記モニターの画面に表示するように構成された表示制御部と、
を備えたことを特徴とするＡＶスイッチャー装置。
【請求項２】
前記切り換え可能な映像信号のメニューの表示は、前記操作機器によってオン／オフできるように構成された、
ことを特徴とする請求項１に記載のＡＶスイッチャー装置。
【請求項３】
前記表示制御部は、前記モニターの画面にポインターを表示するように構成され、
該ポインターの表示位置は前記操作機器により変更できるように構成された、
ことを特徴とする請求項１又は２に記載のＡＶスイッチャー装置。
【発明の詳細な説明】
【技術分野】
【０００１】
本発明は、入力された複数系統の映像信号の内の１系統の映像信号が出力されると共に、該出力される映像信号を適宜切り換えることができるように構成されたＡＶスイッチャー装置に関する。
【背景技術】
【０００２】
従来、入力された複数系統の映像信号の内の１系統の映像信号が出力されると共に、該出力される映像信号を適宜切り換えることができるように構成されたＡＶスイッチャー装置については、種々のものが提案されている（例えば、特許文献１参照）。
【０００３】
図２は、そのような従来のＡＶスイッチャー装置の構成の一例を示すブロック図である。このＡＶスイッチャー装置１００は複数系統の映像信号Ｓ１，Ｓ２，Ｓ３，Ｓ４が入力されるように構成されており、その内の１系統の映像信号Ｓｏｕｔがモニター１０１に送信されるように構成されている。また、映像信号の切り換え指示を行うためのスイッチ群は、ＡＶスイッチャー装置本体や教卓（つまり、ＡＶスイッチャー装置が会議室や教室に配置される場合はその教卓）などに設置されていて（図２の符号１０３参照）、各スイッチ自体やその近傍には、それぞれのスイッチの機能を示す文字や記号が付されていた（例えば、特許文献２参照）。そして、映像を切り換えたい場合には、それらの文字や記号を見ながらスイッチ操作を行う必要があった。
【特許文献１】特開２００６−２６１７７８号公報
【特許文献２】特開平６−１６５０３１号公報
【発明の開示】
【発明が解決しようとする課題】
【０００４】
しかしながら、このようなＡＶスイッチャー装置は暗い室内に設置されていることも多く、各スイッチに付された小さな文字や記号を識別することが困難で、映像信号の切り換えに時間が掛かってしまったり、間違った操作を行ってしまったりするおそれがあった。特に、モニター１０１に映し出された映像を使ってプレゼンテーションを行っているような場合には、映像切り換え操作に時間が掛かってしまってプレゼンテーションが中断されることとなり、好ましくは無かった。
【０００５】
本発明は、上述の問題を解消することができるＡＶスイッチャー装置を提供することを目的とするものである。
【課題を解決するための手段】
【０００６】
請求項１に係る発明は、図１に例示するものであって、入力された複数系統の映像信号（Ｓ１，Ｓ２，Ｓ３，Ｓ４）の内の１系統の映像信号（Ｓｏｕｔ）が出力されると共に、該出力される映像信号を適宜切り換えることができるように構成されたＡＶスイッチャー装置（１）において、
複数系統の映像信号（Ｓ１，Ｓ２，Ｓ３，Ｓ４）を入力できるように構成された映像信号入力部（２）と、
モニター（３）が接続可能であると共に、１系統の映像信号（Ｓｏｕｔ）が出力されるように構成された映像信号出力部（４）と、
該映像信号入力部（２）と該映像信号出力部（４）との間に介装されると共に、入力された複数系統の映像信号（Ｓ１，Ｓ２，Ｓ３，Ｓ４）の内の１系統の映像信号（Ｓｏｕｔ）を選択して前記映像信号出力部（４）に送信する映像信号選択部（５）と、
映像信号の切り換え指示を行うための操作機器（６）が接続されると共に、該切り換え指示の信号を前記映像信号選択部（５）に送信して映像信号の切り換えを行う操作機器接続部（７）と、
切り換え可能な映像信号のメニュー（Ｂ１，Ｂ２，Ｂ３，Ｂ４）、及び前記切り換え指示により切り換えようとする映像信号を前記モニター（３）の画面に表示するように構成された表示制御部（８）と、を備えたことを特徴とする。
【０００７】
請求項２に係る発明は、請求項１に係る発明において、前記切り換え可能な映像信号のメニュー（Ｂ１，Ｂ２，Ｂ３，Ｂ４）の表示が、前記操作機器（６）によってオン／オフできるように構成されたことを特徴とする。
【０００８】
請求項３に係る発明は、請求項１又は２に係る発明において、前記表示制御部（８）が、前記モニター（３）の画面にポインター（９）を表示するように構成され、
該ポインター（９）の表示位置は前記操作機器（６）により変更できるように構成されたことを特徴とする。
【０００９】
なお、括弧内の番号などは、図面における対応する要素を示す便宜的なものであり、従って、本記述は図面上の記載に限定拘束されるものではない。
【発明の効果】
【００１０】
請求項１乃至３に係る発明によれば、モニターの画面を見ながら映像信号の切り換えを行うことができるので、暗い室内であっても操作間違いを防止することができる。
【発明を実施するための最良の形態】
【００１１】
以下、図１に沿って、本発明を実施するための最良の形態について説明する。ここで、図１は、本発明に係るＡＶスイッチャー装置の全体構成の一例を示すブロック図である。
【００１２】
本発明に係るＡＶスイッチャー装置は、入力された複数系統の映像信号の内の１系統の映像信号が出力されると共に、該出力される映像信号を適宜切り換えることができるように構成されている。このＡＶスイッチャー装置は、図１に符号１で例示するものであって、少なくとも、
・  複数系統の映像信号Ｓ１，Ｓ２，Ｓ３，Ｓ４を入力できるように構成された映像信号入力部２と、
・  モニター３が接続可能であると共に、１系統の映像信号Ｓｏｕｔが出力されるように構成された映像信号出力部４と、
・  該映像信号入力部２と該映像信号出力部４との間に介装されると共に、入力された複数系統の映像信号Ｓ１，Ｓ２，Ｓ３，Ｓ４の内の１系統の映像信号Ｓｏｕｔを選択して前記映像信号出力部４に送信する映像信号選択部５と、
・  映像信号の切り換え指示を行うための操作機器６が接続されると共に、該切り換え指示の信号を前記映像信号選択部５に送信して映像信号の切り換えを行う操作機器接続部７と、
を備えている。このうち、操作機器６としては、
・  マウスやトラックパッドやトラックボール等のポインティングデバイス、
・  キーボード
・  ジョイスティックやボタン
を挙げることができ、有線接続のもの及び無線接続（電波や赤外線を利用する接続）のものの両方を挙げることができる。また、有線接続の場合の操作機器接続部７の具体例としてはＵＳＢインターフェイスを挙げることができる。
【００１３】
さらに、本発明に係るＡＶスイッチャー装置１は、
（ａ）  切り換え可能な映像信号のメニューＢ１，Ｂ２，Ｂ３，Ｂ４、及び
（ｂ）  前記切り換え指示により切り換えようとする映像信号
を前記モニター３の画面に表示する表示制御部８を備えている。ここで、（ａ）の“切り換え可能な映像信号のメニュー”とは、“切り換え可能な映像信号の一覧（別の表現をすると、ＡＶスイッチャー装置１によって切り換えることのできる映像信号の全種類）”が分かるようなものであれば良く、具体的な表示形態としては、メニューボタンやアイコンや文字列等を挙げることができる。図１に示す例では、映像信号はＳ１，Ｓ２，Ｓ３，Ｓ４の４種類に切り換え可能となるように構成されているので、モニター画面には４種類の映像信号についての“メニュー”が表示されることとなる。また、上記（ｂ）の“前記切り換え指示により切り換えようとする映像信号（の表示）”は、どの映像信号に切り換えられようとしているかが分かるような表示であれば良く、切り換え指示により選択された映像信号（具体的には、メニューボタンやアイコンや文字列）をハイライト表示（点滅表示や、色変更表示）するようにしても、或いは、“○○の映像に切り換えます”というようなコメントを表示するようにしても、さらには、他の公知の方法で表示するようにしても良い。本発明によれば、モニター３の画面を見ながら映像信号Ｓ１，Ｓ２，Ｓ３，Ｓ４の切り換えを行うことができるので、暗い室内であっても操作間違いを防止でき、簡単かつ確実に映像の切り換えを行うことができる。
【００１４】
ところで、前記表示制御部８によって前記モニター３の画面にポインター（図１の符号９参照）を表示できるように構成し、該ポインター９の表示位置は前記操作機器６によって変更できるように構成すると良い。そのようにした場合には、プレゼンテーションの際にはポインター９をレーザーポインターとして利用できるので便利である。また、映像信号の切り換えは該ポインター９を使って行えるようにすると良い。例えば、該ポインター９が移動されていずれかのメニューボタンＢ１，Ｂ２，Ｂ３又はＢ４に一致すると、そのメニューボタンＢ１，Ｂ２，Ｂ３又はＢ４がハイライト表示され、その状態で操作機器６で所定の操作（例えば、マウスの場合には左クリック）を行うことにより映像信号が切り換えられるようにすると良い。そのようにした場合には、プレゼンテーションを行っている人は、モニター画面から目を外さないで映像の切り換えを素早く行うことができ、従来のようなプレゼンテーションの中断という事態を回避できる。なお、このようなポインターを表示しないものを本発明の範囲から除外するものでは無い。例えば、ポインターを表示せず、操作機器側の所定の操作により、ハイライト表示されるメニューボタンＢ１，Ｂ２，Ｂ３，Ｂ４が順次切り替わるようにしても良い。
【００１５】
さらに、前記表示制御部８による映像信号のメニューの表示（つまり、上記（ａ）のメニューの表示）は、前記操作機器６によってオン／オフできるように構成しても良い。そのオン／オフの方法としては、公知の色々な方法が考えられる。例えば、操作機器６にオン／オフ用のボタン（例えば、マウスの場合は右クリックボタン）を設けておいても良く、或いは、操作機器６にオンのボタンを設けると共に該表示のオフはモニター画面上のメニューボタン（図１の符号Ｂ５参照）で行うようにしても良い。なお、モニター３が大画面の場合にはメニューＢ１，Ｂ２，Ｂ３，Ｂ４を常時表示しておくことも可能であるので、そのような常時表示する態様を本発明の範囲から除外するものでは無い。
【００１６】
さらに、ＡＶスイッチャー装置内にスキャンコンバータを設けて解像度を変更できるようにしても、デジタル形式又はアナログ形式の信号に変換できるようにしても、コンポジット信号やコンポーネント信号に変換できるようにしても良い。
【図面の簡単な説明】
【００１７】
【図１】図１は、本発明に係るＡＶスイッチャー装置の全体構成の一例を示すブロック図である。
【図２】図２は、従来のＡＶスイッチャー装置の構成の一例を示すブロック図である。
【符号の説明】
【００１８】
１                    ＡＶスイッチャー装置
２                    映像信号入力部
３                    モニター
４                    映像信号出力部
５                    映像信号選択部
６                    操作機器
７                    操作機器接続部
８                    表示制御部
９                    ポインター
Ｂ１，Ｂ２，Ｂ３，Ｂ４      メニュー
Ｓ１，Ｓ２，Ｓ３，Ｓ４，Ｓｏｕｔ        映像信号
【図１】
2009303091.tif 000003
【図２】
2009303091.tif 000004